(57)【要約】      （修正有）【課題】磁石付肩パッドと連結した顎サポータを提供する。【解決手段】睡眠時に小さな強力磁石を配置した肩パッド２０と連結した顎サポータ１０からなり、顎サポータ１０は、顎Ｃを通常の位置より少し上になるよう維持し、肩パッド２０は、強力磁石により肩や肩甲骨付近のコリを緩和すると共に睡眠時気道の閉塞を防ぐことを特徴とする。睡眠時に顎Ｃを支えると共に肩パッド２０に配列した磁石により、睡眠時では、布団やマットと肩の間に挟着しているので、肩パッド２０の磁石は肩に密着した状態となることと顎Ｃを通常の状態から少し上の状態で維持して睡眠できる。【選択図】図１
0003208941.tif 000002
【実用新案登録請求の範囲】
【請求項１】
本考案は、睡眠時に小さな強力磁石を配置した肩パッドと連結した顎サポータからなり、顎サポータは、顎を通常の位置より少し上になるよう維持し、肩パッドは、強力磁石を肩や肩甲骨付近のコリを緩和すると共に睡眠時気道の閉塞を防ぐことを特徴とした、磁石付肩パッドと顎サポータに関する。
【考案の詳細な説明】
【技術分野】
【０００１】    本考案は、通常睡眠時に顎サポータと肩パッドに磁石を配列することにより、気道の確保と肩や首のコリを緩和できることができ、前記顎サポータは、睡眠時の気道を確保維持でき、いびきの防止にも役立つ顎サポートと連結した磁石付肩パッドに関する。
【背景技術】
【０００２】  従来、睡眠時のいびき防止具には様々なものがあるが、気道を確実に確保して睡眠できるものがなかった。【０００３】また、無呼吸症候群で使用されるＣＰＡＰにおいても、常に空気が鼻腔や喉に送り込まれるので、鼻腔内が常に乾燥し、慢性の気管支炎や鼻水などの症状が出て中止する人がいた。【０００４】磁石による首や肩こりでは、磁石を貼着してあるシールを直接肌に貼るか、磁石を連続したネックレス状のものがあるが、肌に触れているだけなので、それほど肩こり解消の効果が少なかった。
【考案の概要】
【考案が解決しようとする課題】
【０００５】    本考案は、睡眠時に顎を支えると共に肩パッドに配列した磁石により、睡眠時では、布団やマットと肩の間に挟着しているので、前記肩パッドの磁石は肩に密着した状態となることを課題とした。【０００６】また、顎を通常の状態から少し上の状態で維持することを課題とした。
【課題を解決するための手段】
【０００７】本考案は、従来、顎のサポータとしていわゆる顎枕があるが、横になっての睡眠時では外れてしまい、無呼吸症候群で使用するＣＰＡＰのような装置をどこに行っても、携行しなければならないので、常時顎の位置をサポータで通常の位置より少し上にした状態を維持するため、ばねを内蔵されているので、顎に当接する軸の顎は、サポータでやや押し上げられた状態となり、小さな強力磁石（通常ネオジウム磁石）を両肩に当接するよう、配列した肩パッドにより、寝ている間に肩こりが緩和できるようにしたもので、前記課題を解決するものである。
【考案の効果】
【０００８】    本考案は、顎サポータと小さな強力磁石を配列した肩パッドを睡眠時に装着して寝ることにより、いびきの防止や肩こりも解消できる。【０００９】通常の睡眠時では、健康な人でも舌が気道を狭くし、特に顎の小さな人では、無呼吸症候群の可能性があり、前記サポータでは、サポータの摺動軸が内蔵されているばねにより、顎が常時通常の位置よりわずかに上方で維持されているので、気道が塞がることの防止となる。【００１０】従って、救急隊員が行う気道確保と同じようなことであるが、わずかに顎が上方で維持されているので、通常気道がかなり狭い人でも気道が確保され、通常の状態より少し気道が塞がらない状態であるから、空気の吸い込み量が少し増えるので、その分酸素を多く吸い込むこととなり、体内により多くの酸素を取り込むことができる。【００１１】また、肩パッドに配列された小さな強力磁石により、睡眠時では、ふとんやマットと肩が密着して当接するので、磁力の効果が最大限得られる効果がある。【００１２】前記小さな強力磁石の数を増やすことにより、より肩こり解消が得られる効果がある。
【図面の簡単な説明】
【００１３】
【図１】は、半身のマネキンＴに装着した状態の正面側から見た、前方斜視図である。
【００１４】
【図２】は、図１における後方から見た、後方斜視図である。
【００１５】
【図３】は、図２で示す正面図の左側面図である。
【００１６】
【図４】は、図２で示すＡ‐Ａ断面図である。
【００１７】
【図５】は、使用状態を示す参考図である。
【考案を実施するための形態】
【００１８】図１から図３までは、本考案全体１を、胸から上のマネキンＴに装着した状態を示すものであり、これを基に詳しく装着状態を説明する。
【００１９】  本考案は、顎を持ち上げる状態を維持するサポータ全体１０と肩パッド全体２０を連結用ベルト３０からなる。
【００２０】図１において、顎サポータ全体１０の摺動軸３を挿入して摺動可能な収納部４に収納され、該収納部４の内部には、圧縮ばね（図示せず）が内蔵されて、前記摺動軸３の下端部と当接し、穴７を前記摺動軸３は摺動する。
【００２１】該摺動軸３の先端部には、睡眠時に顎Ｃが該摺動軸とＴ字状に固着した、載荷台６から外れないための拡幅した載荷板２のへこみ部１１に顎Ｃを中央に載せる。
【００２２】また、前記へこみ部１１には、緩衝材としてフェルト９は、前記載荷板２に顎Ｃを載せた時の緩衝材であるが、通常ハンカチやガーゼのようなものを被せて汗を吸収する。
【００２３】前記摺動軸３は、Ｘ方向に伸縮するので、前記収納部４の下方に三角形状の凸部５が形成され、該凸部５の下側の面８にベルト１２が当接して支持され、前記収納部４を下から持ち上げる形となり、顎Ｃは載荷台２がやや持ち上げるよう、ベルト３０の長さをアジャスター１３で調節して顎Ｃを固定する。
【００２４】装着状態では、マネキンＴであるので、顎Ｃは通常の位置でサポートされているが、実際人間の顎の場合では、マネキンＴの顎Ｃは少し上がった状態となる。
【００２５】次に肩パッド２０はパッド本体１４の裏側１８は、ふとんやマットに寝ると肩や肩甲骨あたりを覆う大きさで、該パッドには、肩や肩甲骨に作用する位置に複数個の強力磁石３０、例えばネオジウム磁石を埋設して配置されている。
【００２６】該強力磁石３０群の特徴として、図４に示す通り、（ａ）において、両肩や肩甲骨と背骨の中間付近に配置されて、中央の磁石１７を取り囲む形で配置されている磁石１６の構成である。
【００２７】また、該磁石３０は、外側から見ると、中央がＮ極、周囲がＳ極で配置されていることが、特徴で、他の実施例の配置の一例を図５に（ａ），（ｂ），（ｃ），（ｄ）に示した。
【００２８】図４の（ｂ）はＡ‐Ａ断面図、（ｃ）はＢ‐Ｂ断面図を示し、Ｎ極とＳ極が背中に密着して当接している状態を示すものである。
【００２９】前記肩パッド２０の情報に設けたスリット１５は、ベルト１２を挿通させるものである。
【００３０】前記摺動軸３を収納する収納部の裏側には、胸と硬い該収納部４の下端部が当接して、痛くならないため、緩衝材１９が貼着している。
【符号の説明】
【００３１】  １・・・・・・・本考案全体
２・・・・・・・外れ防止拡幅板
３・・・・・・・摺動軸
４・・・・・・・収納部
５・・・・・・・三角形状凸部
６・・・・・・・顎支持材
７・・・・・・・摺動軸穴
８・・・・・・・三角形状凸部下側面
９・・・・・・・フェルト
１０・・・・・・・顎サポータ全体
１１・・・・・・・へこみ部
１２・・・・・・・ベルト
１３・・・・・・・アジャスター
１４・・・・・・・肩パッド本体
１５・・・・・・・スリット
１６・・・・・・・外周部磁石
１７・・・・・・・中央部磁石
１８・・・・・・・磁石嵌合孔
２０・・・・・・・肩パッド全体
３０・・・・・・・磁石群全体
Ｃ・・・・・・・・顎
Ｔ・・・・・・・・マネキン
Ｎ・・・・・・・・首
Ｘ・・・・・・・・摺動方向
【図１】
0003208941.tif 000003
【図２】
0003208941.tif 000004
【図３】
0003208941.tif 000005
【図４】
0003208941.tif 000006
【図５】
0003208941.tif 000007
【手続補正書】
【提出日】平成28年11月16日(2016.11.16)
【手続補正１】
【補正対象書類名】実用新案登録請求の範囲
【補正対象項目名】全文
【補正方法】変更
【補正の内容】
【実用新案登録請求の範囲】
【請求項１】
本考案は、睡眠時に小さな強力磁石を配置した肩パッドと連結した顎サポータからなり、顎サポータは、顎を通常の位置より少し上になるよう維持し、肩パッドは、強力磁石により肩や肩甲骨付近のコリを緩和すると共に睡眠時気道の閉塞を防ぐことを特徴とした、磁石付肩パッドと連結した顎サポータに関する。